(57)【要約】【課題】  携帯情報端末に大きい衝撃や振動が加えられても、ヒンジユニットは筐体から飛び出すことがなく、また、ヒンジユニットにキャップを必要としない折り畳み型携帯情報端末のヒンジ装置を提供する。【解決手段】  携帯電話機１の筐体は、キー操作側筐体２と表示側筐体３とが一対のヒンジユニット１０により連結されることによって構成される。表示側筐体の内側にヒンジユニットの挿入開始位置部３ａが設けられる。キー操作側筐体の内側及び表示側筐体の内側に、それぞれヒンジユニットの収容部２ａ，３ａ（図示せず）が設けられる。ヒンジユニットは、挿入開始位置部から両収容部２ａ，３ａに挿入される。【選択図】      図２
2005121175.tif 000002
【特許請求の範囲】
【請求項１】
折り畳み型携帯情報端末の筐体において、
前記筐体は、キー操作側筐体と表示側筐体とがヒンジユニットにより連結されることによって構成され、
前記キー操作側筐体の内側又は前記表示側筐体の内側に前記ヒンジユニットの挿入開始位置部が設けられ、
前記キー操作側筐体の内側及び前記表示側筐体の内側にそれぞれ前記ヒンジユニットの収容部が設けられ、
前記ヒンジユニットは前記挿入開始位置部から前記各収容部に挿入されることを特徴とする折り畳み型携帯情報端末のヒンジ装置。
【請求項２】
前記キー操作側筐体と前記表示側筐体とが一対の前記ヒンジユニットにより連結され、前記ヒンジユニットの各収容部は前記キー操作側筐体の内側の２箇所及び前記表示側筐体の内側の２箇所にそれぞれ設けられていることを特徴とする請求項１記載の折り畳み型携帯情報端末のヒンジ装置。
【請求項３】
前記ヒンジユニットに設けられた飛び出し防止用爪は前記ヒンジユニットの収容部に形成された係止部に係止されることを特徴とする請求項１記載の折り畳み型携帯情報端末のヒンジ装置。
【請求項４】
前記ヒンジユニットの収容部の最奥部に前記ヒンジユニットの先端部が突き当たる壁が存在することを特徴とする請求項１記載の折り畳み型携帯情報端末のヒンジ装置。
【請求項５】
前記ヒンジユニットは、エンドストッパと、前記キー操作側筐体又は前記表示側筐体の一方に回転しないように保持されるヒンジケースに前記エンドストッパを固定する固定ピンと、コイルスプリングと、前記コイルスプリングに押圧されるディスクと、前記ディスクに対して係合離脱するシャフトと、前記コイルスプリング、前記ディスク及び前記シャフトを収納される前記ヒンジケースと、前記キー操作側筐体又は前記表示側筐体の他方に回転しないように保持され、かつ、前記シャフトに回転力を伝動するフックとから構成されることを特徴とする請求項１記載の折り畳み型携帯情報端末のヒンジ装置。
【請求項６】
前記飛び出し防止用爪は前記フックに設けられていることを特徴とする請求項３記載の折り畳み型携帯情報端末のヒンジ装置。
【発明の詳細な説明】
【技術分野】
【０００１】
本発明は、携帯電話機等の折り畳み型携帯情報端末において、蓋体部（表示側筐体等）を本体部（キー操作側筐体等）に対して回転可能に取り付けるヒンジ装置に関する。
【背景技術】
【０００２】
従来の携帯電話機のヒンジ装置について図５〜図７を参照して説明する（例えば、特許文献１参照。）。
【０００３】
携帯電話機２１は、図５に示されるように、キー操作側筐体２２と、キー操作側筐体２２に対して矢印方向に開閉可能な液晶等の表示側筐体２３と、表示側筐体２３をキー操作側筐体２２に回転可能に取り付ける一対のヒンジユニット３０等とから構成される。
【０００４】
図６は、ヒンジユニット３０が分解された状態の斜視図、図７は、ヒンジユニット３０が組み立てられた状態の断面図を、それぞれ示す。
【０００５】
ヒンジユニット３０は、フック３１と、ストッパ３２と、コイルスプリング３３と、カム部材３４と、２個のボール３５と、ディスク部材３６と、ケース３７と、軸体３８と、キャップ３９とから構成される。カム部材３４と２個のボール３５とディスク部材３６とは、カム機構を構成する。
【０００６】
これらの構成部材について順次説明する。フック３１には、先端部に４本の係止爪３１ａが形成され、中心部に４角孔３１ｂが設けられ、外周面の２箇所に溝３１ｃが設けられている。ストッパ３２には、中心部に４角孔３２ａが設けられ、外周面の２箇所に溝３２ｂが設けられている。コイルスプリング３３は、圧縮力によってカム部材３４を付勢する。
【０００７】
カム部材３４は、フランジ部３４ａと、円軸部３４ｂとから構成され、フランジ部３４ａと円軸部３４ｂの各中心部に貫通楕円孔３４ｃが設けられている。フランジ部３４ａの外面には、環状案内溝３４ａ１が形成され、また、環状案内溝３４ａ１における対向位置に２つの浅い球状孔３４ａ２が設けられている。
【０００８】
ディスク部材３６は、円板の両側を削除されて弦が形成されるように構成される。ディスク部材３６には、中心部に円孔３６ａが設けられ、また、一面にカム部材３４の２つの浅い球状孔３４ａ２に対応するように２つの半球状孔３６ｂが設けられている。各ボール３５は、各半球状孔３６ｂに回転自在に保持されている。
【０００９】
ケース３７は、筒状の容器であり、一端側には中心部に貫通円孔３７ａ１が設けられた底部３７ａが形成され、他端側には開放口３７ｂが形成されている。ケース３７の左右両側には、互いに平行な平面壁３７ｃが形成され、ケース３７の上下両側には、対称的に円弧面３７ｄが形成されている。両平面壁３７ｃは、携帯電話機２１のキー操作側筐体２２の内部に設けられた嵌合部と嵌合する。ケース３７には、ディスク部材３６、２個のボール３５、カム部材３４及びコイルスプリング３３が収納される。
【００１０】
軸体３８は、円板状の頭部３８ａと、軸部３８ｂとから構成される。軸部３８ｂには、先端部に４角軸部３８ｂ１、中間部に楕円軸部３８ｂ２、基部に円軸部３８ｂ３が、それぞれ形成されている。
【００１１】
ヒンジユニット３０が組み立てられた状態を図７を参照して説明する。ケース３７に、奥から順次各ボール３５を各半球状孔３６ｂにはめ込まれたディスク部材３６、カム部材３４及びコイルスプリング３３が収納されている。カム部材３４の円軸部３４ｂの外周面にコイルスプリング３３をはめ、コイルスプリング３３の一端部をカム部材３４のフランジ部３４ａに当接させ、他端部をストッパ３２に当接させ、ストッパ３２をケース３７の開放ロック３７ｂの外側に配置する。
【００１２】
続いて、ケース３７の貫通円孔３７ａ１から軸体３８の軸部３８ｂを挿入し、ディスク部材３６、カム部材３４、コイルスプリング３３及びストッパ３２を貫通させ、更に、軸部３８ｂの先端部の４角軸部３８ｂ１にフック３１をはめ込み、最後に、フック３１から突出した４角軸部３８ｂ１をかしめる。
【００１３】
この状態で、ケース３７内にディスク部材３６、各ボール３５、カム部材３４及びコイルスプリング３３が収納され、また、ケース３７の開放口３７ｂがストッパ３２によって閉じられる。このとき、軸体３８の楕円軸部３８ｂ２には、カム部材３４の貫通楕円孔３４ｃがはまり、軸体３８の４角軸部３８ｂ１には、ストッパ３２の４角孔３２ａ及びフック３１の４角孔３１ｂがはまる。
【００１４】
この構造によって、カム部材３４、ストッパ３２及びフック３１は、軸体３８と一体に回転する。一方、軸体３８の円軸部３８ｂ３には、ケース３７の貫通円孔３７ａ１及びディスク部材３６の円孔３６ａがはまっている。このため、軸体３８が回転するとき、ケース３７及びディスク部材３６は回転しない。
【００１５】
また、カム部材３４はコイルスプリング３３によってディスク部材３６の方向に常に付勢され、カム部材３４とディスク部材３６の間に各ボール３５を介したカム機構が構成される。
【００１６】
ヒンジユニット３０の携帯電話機２１への取り付けは、下記のように行う。一対のヒンジユニット３０を携帯電話機２１のキー操作側筐体２１における各ヒンジ装着用筒状部２２ａに左右両外側からそれぞれ挿入する。すると、各フック３１の各係止爪３１ａは表示側筐体２３に設けられた各ヒンジ装着用孔部（図示せず）に係止され、併せて各ストッパ３２は各ヒンジ装着用孔部に嵌合固定される。一方、各ケース３７の各平面壁３７ｃは各ヒンジ装着用筒状部２１ａ内に嵌合固定される。
【００１７】
各ヒンジユニット３０が取り付けられた携帯電話機２１の表示側筐体２３を手指によって図５に示される位置まで約９０°開くと、カム機構が作動する。このとき、ストッパ３２及びフック３１と共にカム部材３４が回転する。カム部材３４の各浅い球状孔３４ａ２はディスク部材３６の各半球状孔３６ｂに保持される各ボール３５との係合から脱出し、各ボール３５はカム部材３４の回転によって環状案内溝３４ａ１に対して転動する。やがて、表示側筐体２３の開放が完了すると、一方の半球状孔３６ｂは他方のボール３５と係合する。
【００１８】
なお、前記従来の携帯電話機のヒンジ装置と同様に、一対のヒンジ装置を携帯電話機のキー操作側筐体における各ヒンジ装着用筒状部に左右両外側からそれぞれ挿入することは、提案されている（例えば、特許文献２参照。）。
【００１９】
また、折り畳み式機器のヒンジユニットにおける軸杆に設けられたワッシャーに閉止キャップをはめることは、提案されている（例えば、特許文献３参照。）。
【特許文献１】特開２００３−１２０６５５号公報（第３頁第３欄第４７行−第４頁第６欄第１９行、図１，３，９）
【特許文献２】特開２００３−１２０６５１号公報
【特許文献３】特開２００２−１５５９２７号公報（第５頁第７欄第１８行−第８欄第１行、図１，３）
【発明の開示】
【発明が解決しようとする課題】
【００２０】
前記従来の携帯電話機のヒンジ装置には、携帯電話機２１に大きい衝撃や振動が加えられた際に、フック３１の各係止爪３１ａは表示側筐体２３に設けられた各ヒンジ装着用孔部との係止から解除される恐れがある。したがって、この場合、ヒンジユニット３０は、キー操作側筐体２２から飛び出す。また、ヒンジユニット３０にキャップ３９を取り付けることによって、部品点数が増加し、重量が増大し、更に、コストが高価になる。
【００２１】
そこで、本発明は、前記従来の携帯電話機のヒンジ装置の欠点を改良し、携帯情報端末に大きい衝撃や振動が加えられても、ヒンジユニットは筐体から飛び出すことがなく、また、ヒンジユニットにキャップを必要としない折り畳み型携帯情報端末のヒンジ装置を提供しようとするものである。
【課題を解決するための手段】
【００２２】
本発明は、前記課題を解決するため、次の手段を採用する。
【００２３】
１．折り畳み型携帯情報端末の筐体において、前記筐体は、キー操作側筐体と表示側筐体とがヒンジユニットにより連結されることによって構成され、前記キー操作側筐体の内側又は前記表示側筐体の内側に前記ヒンジユニットの挿入開始位置部が設けられ、前記キー操作側筐体の内側及び前記表示側筐体の内側にそれぞれ前記ヒンジユニットの収容部が設けられ、前記ヒンジユニットは前記挿入開始位置部から前記各収容部に挿入される折り畳み型携帯情報端末のヒンジ装置。
【００２４】
２．前記キー操作側筐体と前記表示側筐体とが一対の前記ヒンジユニットにより連結され、前記ヒンジユニットの各収容部は前記キー操作側筐体の内側の２箇所及び前記表示側筐体の内側の２箇所にそれぞれ設けられている前記１記載の折り畳み型携帯情報端末のヒンジ装置。
【００２５】
３．前記ヒンジユニットに設けられた飛び出し防止用爪は前記ヒンジユニットの収容部に形成された係止部に係止される前記１記載の折り畳み型携帯情報端末のヒンジ装置。
【００２６】
４．前記ヒンジユニットの収容部の最奥部に前記ヒンジユニットの先端部が突き当たる壁が存在する前記１記載の折り畳み型携帯情報端末のヒンジ装置。
【００２７】
５．前記ヒンジユニットは、エンドストッパと、前記キー操作側筐体又は前記表示側筐体の一方に回転しないように保持されるヒンジケースに前記エンドストッパを固定する固定ピンと、コイルスプリングと、前記コイルスプリングに押圧されるディスクと、前記ディスクに対して係合離脱するシャフトと、前記コイルスプリング、前記ディスク及び前記シャフトを収納される前記ヒンジケースと、前記キー操作側筐体又は前記表示側筐体の他方に回転しないように保持され、かつ、前記シャフトに回転力を伝動するフックとから構成される前記１記載の折り畳み型携帯情報端末のヒンジ装置。
【００２８】
６．前記飛び出し防止用爪は前記フックに設けられている前記３記載の折り畳み型携帯情報端末のヒンジ装置。
【発明の効果】
【００２９】
明細書の説明から明らかなように、本発明によれば、次の効果が奏される。
【００３０】
１．携帯情報端末に大きい衝撃や振動が加えられても、ヒンジユニットが筐体の内側から収納部に装着されているため、ヒンジユニットは筐体から飛び出すことがない。
【００３１】
２．ヒンジユニットは筐体の外側から視認されないので、化粧用のキャップが不要である。したがって、部品点数が削減され、重量が軽減され、コストが安価になる。
【発明を実施するための最良の形態】
【００３２】
本発明の一実施例の折り畳み型携帯電話機のヒンジ装置について説明する。
【実施例１】
【００３３】
本発明の実施例１について図１〜図４を参照して説明する。
【００３４】
図１は、携帯電話機１のキー操作側筐体２に対して液晶等の表示側筐体３が約１８０°開かれた状態の斜視図である。ただし、ヒンジユニット１０が挿入される前の状態を示す。図２は、図１における要部を破断して示す斜視図である。ただし、ヒンジユニット１０が挿入開始位置部に配置された状態を示す。図３は、図１における表示側筐体３の要部を破断して示す斜視図である。ただし、ヒンジユニット１０が挿入途中に位置する状態を示す。図４は、ヒンジユニット１０の分解斜視図である。
【００３５】
ヒンジユニット１０は、図４に示されるように、円板の周面における対向する２箇所を平行な平坦部１１ａに形成されたエンドストッパ１１と、表示側筐体３に回転しないように保持されるヒンジケース１６にエンドストッパ１１を固定する固定ピン１２と、コイルスプリング１３と、コイルスプリング１３に押圧されるディスク１４と、ディスク１４に対して係合離脱するシャフト１５と、コイルスプリング１３、ディスク１４及びシャフト１５を収納されるヒンジケース１６と、円板の周面における対向する２箇所を平行な平坦部１７ａに形成され、かつ、ヒンジケース１６に隣接して配置されて、前記シャフト１５に回転力を伝動するフック１７と、フック１７とシャフト１５とを固定する固定ピン１８とから構成される。フック１７は、キー操作側筐体２に回転しないように保持される。
【００３６】
エンドストッパ１１には、２箇所の平坦部１１ａの間に貫通孔１１ａ１が開けられ、また、一端面の中央に軸部１１ｂが設けられる。固定ピン１２は、ヒンジケース１６の一方の孔１６ａから挿入されて貫通孔１１ａ１を貫通して他方の孔１６ａまで至る。コイルスプリング１３は、軸部１１ｂに巻き付けられ、ディスク１４の一面をシャフト１５の方向に常に押圧する。
【００３７】
ディスク１４は、若干量のスライドが可能であり、また、シャフト１５は、約１８０°の回転が可能である。ディスク１４の他面に形成された一対の凹部１４ａは、シャフト１５の一面に形成された一対の凸部１５ａと係合離脱することができる。シャフト１５の他面の中央に設けられた連結部１５ｂには、貫通孔１５ｂ１が開けられている。
【００３８】
フック１７には、中央に４角孔１７ｂが開けられ、また、２箇所の平坦部１７ａに貫通孔１７ａ１が開けられている。更に、フック１７の平坦部１７ａには、飛び出し防止用爪１７ａ２が設けられている。シャフト１５の連結部１５ｂがフック１７の４角孔１７ｂに挿入されることによって、シャフト１５はフック１７と一体的に回転することができる。固定ピン１８は、フック１７の一方の貫通孔１７ａ１から挿入されて４角孔１７ｂと貫通孔１５ｂ１を貫通して他方の貫通孔１７ａ１まで至る。
【００３９】
ヒンジユニット１０のキー操作側筐体２と表示側筐体３への装着について図１〜図３を参照して説明する。
【００４０】
まず、一方のヒンジユニット１０を、図２に示されるように、表示側筐体３の内側における挿入開始位置部３ａに配置する。次に、ヒンジユニット１０をキー操作側筐体２の収容部２ａに矢印に示される方向に押し込む。すると、ヒンジユニット１０のエンドストッパ１１は、図３に示されるように、収容部２ａを経て表示側筐体３の収容部３ｂの最奥部の壁３ｂ１に突き当たる。このとき、フック１７に設けられた飛び出し防止用爪１７ａ２は、収容部２ａに形成された係止部２ａ１に係止される。以上の操作によって、ヒンジユニット１０は、携帯電話機１に装着される。
【００４１】
続いて、他方のヒンジユニット１０を表示側筐体３とキー操作側筐体２の逆側に上述した操作と同様に操作することによって、他方のヒンジユニット１０も携帯電話機１に装着される。
【００４２】
携帯電話機１の開放について説明する。キー操作側筐体２を表示側筐体３に対して約１８０°回転させると、図１に示される状態に至る。無論、表示側筐体３をキー操作側筐体２に対して回転させることもできる。
【００４３】
このとき、キー操作側筐体２と共にフック１７が回転するので、シャフト１５も回転する。すると、シャフト１５の各凸部１５ａは、ディスク１４の各凹部１４ａとの係合から離脱してディスク１４をコイルスプリング１３の圧縮力に抗して押し、若干量スライドさせる。そして、シャフト１５が約１８０°回転すると、各凸部１５ａは他の各凹部１４ａに係合するので、ディスク１４はコイルスプリング１３の圧縮力によって逆方向に若干量スライドして復元する。この復元した状態は、キー操作側筐体２の表示側筐体３に対する安定状態である。
【００４４】
携帯電話機１を閉鎖する場合には、キー操作側筐体２を表示側筐体３に対して逆方向に約１８０°回転させるが、各部材の動作は前述した動作と同様である。
【００４５】
実施例１においては、ヒンジユニット１０の挿入開始位置部３ａを表示側筐体３の内側に設けたが、キー操作側筐体２の内側に設けるように設計変更することができる。
【図面の簡単な説明】
【００４６】
【図１】本発明の実施例１に係る携帯電話機の表示側筐体に対してキー操作側筐体が約１８０°開かれた状態の斜視図である。ただし、ヒンジユニットが挿入される前の状態を示す。
【図２】図１における要部を破断して示す斜視図である。ただし、同ヒンジユニットが挿入開始位置に配置された状態を示す。
【図３】図１における同表示側筐体の要部を破断して示す斜視図である。ただし、同ヒンジユニットが挿入途中に位置する状態を示す。
【図４】同ヒンジユニットの分解斜視図である。
【図５】従来の携帯電話機のキー操作側筐体に対して表示側筐体が約９０°開かれた状態の斜視図である。
【図６】同携帯電話機のヒンジユニットの分解斜視図である。
【図７】同ヒンジユニットの組み立てられた状態の断面図である。
【符号の説明】
【００４７】
１  携帯電話機
２  キー操作側筐体
２ａ  収容部
２ａ１  係止部
３  表示側筐体
３ａ  挿入開始位置部
３ｂ  収容部
３ｂ１  壁
１０  ヒンジユニット
１１  エンドストッパ
１１ａ  平坦部
１１ａ１  貫通孔
１１ｂ  軸部
１２  固定ピン
１３  コイルスプリング
１４  ディスク
１４ａ  凹部
１５  シャフト
１５ａ  凸部
１５ｂ  連結部
１５ｂ１  貫通孔
１６  ヒンジケース
１６ａ  孔
１７  フック
１７ａ  平坦部
１７ａ１  貫通孔
１７ａ２  飛び出し防止用爪
１７ｂ  ４角孔
１８  固定ピン
【図１】
2005121175.tif 000003
【図２】
2005121175.tif 000004
【図３】
2005121175.tif 000005
【図４】
2005121175.tif 000006
【図５】
2005121175.tif 000007
【図６】
2005121175.tif 000008
【図７】
2005121175.tif 000009